(57)【要約】実視点映像を取得して提供するための方法及び装置が記述される。一革新的側面において、映像を提供するための装置が記述される。システムは、シーンの複数のビューを取得するように構成されたビュー取得回路を含み、各ビューは、取得位置をもつ。システムは、シーンに対する要求を受信するように構成された受信器を含み、前記要求は、観察位置を含む。システムは、各ビューの取得位置と、観察位置との比較に基づいて、前記シーンの１つ以上のビューを特定するように構成されたビュー選択器を含む。システムは、特定されたビューと観察位置とに基づいて、出力ビューを生成するように構成されたビュー生成器を含む。【選択図】  図２
2016507929.tif 000002
【特許請求の範囲】
【請求項１】
実映像を提供するための方法であって、前記方法は、
シーンの複数のビューを取得することであって、各ビューは取得位置をもつことと、
前記シーンに対する要求を受信することであって、前記要求は、観察位置を含むことと、
各ビューの前記取得位置と、前記観察位置との比較に基づいて、前記シーンの１つ以上のビューを特定することと、
前記特定されたビューと前記観察位置とに基づいて、出力ビューを生成することと、
を備える方法。
【請求項２】
前記取得位置は、前記ビューを取得するセンサの取得距離と取得角度の少なくとも一方を含む請求項１の方法。
【請求項３】
前記観察位置は、前記映像の観察者の観察距離と、観察角度の少なくとも一方を含む請求項１の方法。
【請求項４】
前記シーンの複数のビューを取得することは、センサからの各ビューを受信することを備える請求項１の方法。
【請求項５】
前記シーンの複数のビューを取得することは、メモリからの各ビューを取得することを備える請求項１の方法。
【請求項６】
前記要求を受信することは、前記シーンに対する要求を周期的に受信することを備え、各要求は観察位置を含む請求項１の方法。
【請求項７】
１つ以上のビューを特定することは、前記受信された観察位置に実質的に整列する取得位置に関連するビューを特定することを備える請求項１の方法。
【請求項８】
１つ以上のビューを特定することは、第１の取得位置をもつ第１のビューと、第２の取得位置をもつ第２のビューとを特定することを備え、前記受信された観察位置は、前記第１の取得位置と前記第２の取得位置との間にある請求項１の方法。
【請求項９】
前記出力ビューを生成することは、前記第１のビューと前記第２のビューとに基づいて補間されたビューを生成することを備える請求項８の方法。
【請求項１０】
前記出力ビューを生成することは、前記観察位置に部分的に基づいて前記出力ビューをスケーリングすることを備える請求項１の方法。
【請求項１１】
前記出力ビューを生成することは、前記観察位置に少なくとも部分的に基づいて、前記出力ビューをクロッピングすることを備える請求項１の方法。
【請求項１２】
前記方法はさらに、前記出力ビューを送信することを備える請求項１の方法。
【請求項１３】
実映像を提供するための装置であって、前記システムは、
シーンの複数のビューを取得するように構成されたビュー取得回路であって、前記各ビューは取得位置をもつビュー取得回路と、
前記シーンに対する要求を受信するように構成された受信器であって、前記要求は観察位置を含む受信器と、
各ビューの前記取得位置と、前記観察位置との比較に基づいて、前記シーンの１つ以上のビューを特定するように構成されたビュー選択器と、
前記特定されたビューと、前記観察位置とに基づいて、出力ビューを生成するように構成されたビュー生成器と、を備える装置。
【請求項１４】
前記取得位置は、前記ビューを取得するセンサの取得距離と取得角度の少なくとも一方を含む請求項１３の装置。
【請求項１５】
前記観察位置は、前記映像の観察者の観察距離と観察角度の少なくとも一方を含む請求項１３の装置。
【請求項１６】
前記ビュー取得回路は、センサからの前記シーンの前記複数のビューの各々を取得するように構成される請求項１３の装置。
【請求項１７】
前記ビュー取得回路は、メモリからの前記シーンの前記複数のビューの各々を取得するように構成される請求項１３の装置。
【請求項１８】
前記受信器は、前記シーンに対する要求を周期的に受信するように構成され、各要求は観察位置を含む請求項１３の装置。
【請求項１９】
前記ビュー選択器は、前記受信された観察位置に実質的に整列する取得位置に関連するビューを特定するように構成される請求項１３の装置。
【請求項２０】
前記ビュー選択器は、第１の取得位置をもつ第１のビューと、第２の取得位置をもつ第２のビューとを特定するように構成され、前記受信された観察位置は、前記第１の取得位置と前記第２の取得位置との間にある請求項１３の装置。
【請求項２１】
前記ビュー生成器は、前記第１のビューと前記第２のビューとに基づいて、補間されたビューを生成するように構成された請求項２０の装置。
【請求項２２】
前記ビュー生成器は、前記観察位置に少なくとも部分的に基づいて、前記出力ビューをスケーリングするように構成される請求項１３の装置。
【請求項２３】
前記ビュー生成器は、前記観察位置に少なくとも部分的に基づいて、前記出力ビューをクロッピングするように構成される請求項１３の装置。
【請求項２４】
前記出力ビューを送信するように構成された送信器をさらに備える請求項１３に記載の装置。
【請求項２５】
実映像を提供するための装置であって、
シーンの複数のビューを取得するための手段であって、各ビューは取得位置を持つ手段と、
前記シーンに対する要求を受信するための手段であって、前記要求は観察位置を含む手段と、
各ビューの前記取得位置と、前記観察位置との比較に基づいて、前記シーンの１つ以上のビューを特定するための手段と、
前記特定されたビューと、前記観察位置とに基づいて、出力ビューを生成するための手段と、
を具備する装置。
【請求項２６】
装置のプロセッサによって実行可能な命令を備えるコンピュータ読み取り可能な記憶媒体であって、前記命令は、前記装置に、
シーンの複数のビューを取得させ、ここにおいて、各ビューは取得位置をもち、
前記シーンに対する要求を受信させ、ここにおいて、前記要求は観察位置を含み、
各ビューの前記取得位置と、前記観察位置との比較に基づいて、前記シーンの１つ以上のビューを特定させ、
前記特定されたビューと、前記観察位置とに基づいて、出力ビューを生成させる、コンピュータ読み取り可能な記憶媒体。
【請求項２７】
実映像を取得する方法であって、
コンテンツ選択と、観察位置とを含むコンテンツ要求を送信することと、
前記要求されたコンテンツの１つ以上のビューを受信することと、
前記受信されたビューと、前記観察位置とに基づいて、出力ビューを生成することと、
を備える方法。
【請求項２８】
前記観察位置は、前記選択されたコンテンツの観察者の観察距離と、観察角度の少なくとも１つを含む請求項２７の方法。
【請求項２９】
前記観察角度は、水平観察及び垂直観察角度の少なくとも一方を含む請求項２８の方法。
【請求項３０】
前記観察位置を取得することをさらに備え、前記観察位置を取得することは、
センサからのセンサデータを受信することと、
前記受信されたセンサデータに少なくとも部分的に基づいて前記観察位置を決定することと、を備える請求項２７の方法。
【請求項３１】
前記センサは、光検出器、光源、ジャイロスコープ、アンテナの少なくとも１つを備える請求項３０の方法。
【請求項３２】
前記センサは、画像取得装置を備える請求項３０の方法。
【請求項３３】
前記観察位置を決定することは、
前記画像取得装置によって取得された画像におけるオブジェクトを特定することと、ここにおいて、前記オブジェクトは顔の特質, 備え付け家具、装飾品および電子装置の１つを含み、
前記特定されたオブジェクトの特性に基づいて、前記観察位置を決定することと、ここにおいて、前記特性は、色、位置、反射の少なくとも１つを含み、
を備える請求項３２の方法。
【請求項３４】
前記コンテンツ要求は、ビデオサーバに送信される請求項２７の方法。
【請求項３５】
前記受信されたビューの各々は、取得角度を含む請求項２７の方法。
【請求項３６】
１つ以上のビューを受信することは、第１の取得位置をもつ第１のビューと、第２の取得位置をもつ第２のビューと、を受信することを備え、前記観察位置は、前記第１の取得位置と、前記第２の取得位置の間にある、請求項２７の方法。
【請求項３７】
前記出力ビューを生成することは、前記第１のビューと、前記第２のビューとに基づいて、補間されたビューを生成することを備える請求項３６の方法。
【請求項３８】
前記出力ビューを生成することは、前記観察位置に少なくとも部分的に基づいて、前記出力ビューをスケーリングすることを備える請求項２７の方法。
【請求項３９】
前記出力ビューを生成することは、前記観察位置に少なくとも部分的に基づいて、前記出力ビューをクロッピングすることを備える請求項２７の方法。
【請求項４０】
実映像を取得するための装置であって、
コンテンツ選択と観察位置とを含むコンテンツ要求を送信するように構成される送信器と、
前記要求されたコンテンツの１つ以上のビューを受信するように構成された受信器と、
前記受信されたビューと、前記観察位置とに基づいて、出力ビューを生成するように構成されたビュー生成器と、
を備える装置。
【請求項４１】
前記観察位置は、前記選択されたコンテンツの観察者の観察距離と、観察角度の少なくとも一方を含む請求項４０の装置。
【請求項４２】
前記観察角度は、水平観察及び垂直観察角度の少なくとも一方を含む請求項４１の装置。
【請求項４３】
センサから受信したデータに少なくとも部分的に基づいて前記観察位置を決定するように構成された位置検出器をさらに備える請求項４０の装置。
【請求項４４】
前記センサは、光検出器、光源、ジャイロスコープ、アンテナの少なくとも１つを備える請求項４３の装置。
【請求項４５】
前記センサは、画像取得装置を備える請求項４３の装置。
【請求項４６】
前記位置検出器は、
前記画像取得装置によって取得された画像におけるオブジェクトを特定することと、ここにおいて、前記オブジェクトは顔の特質, 備え付け家具、装飾品および電子装置の１つを含み、
前記特定されたオブジェクトの特性に基づいて、前記観察位置を決定することと、ここにおいて、前記特性は、色、位置、及び反射の少なくとも１つを含む、
を備える請求項４５の装置。
【請求項４７】
前記コンテンツ要求は、ビデオサーバに送信される請求項４０の装置。
【請求項４８】
前記受信されたビューの各々は、取得角度を含む請求項４０の装置。
【請求項４９】
前記１つ以上の受信されたビューは、第１の取得位置をもつ第１のビューと、第２の取得位置をもつ第２のビューとを備え、前記観察位置は、前記第１の取得位置と、前記第２の取得位置の間にある、請求項２７の装置。
【請求項５０】
前記出力ビューは、前記第１のビューと、前記第２のビューとに基づく補間されたビューである請求項４９の装置。
【請求項５１】
前記出力ビューは、前記観察位置に少なくとも部分的に基づいてスケーリングされる請求項４０の装置。
【請求項５２】
前記出力ビューは、前記観察位置少なくとも部分的に基づいてクロッピングされる請求項４０の装置。
【請求項５３】
実映像を取得するための装置であって、
コンテンツ選択と、観察位置とを含むコンテンツ要求を送信するための手段と、
前記要求されたコンテンツの１つ以上のビューを受信するための手段と、
前記受信されたビューと、前記観察位置とに基づいて、出力ビューを生成するための手段と、を備える装置。
【請求項５４】
装置のプロセッサによって実行可能な命令を備えるコンピュータ読み取り可能な記憶媒体であって、前記命令は、前記装置に、
コンテンツ選択と、観察位置とを含むコンテンツ要求を送信させ、
前記要求されたコンテンツの１つ以上のビューを受信させ、
前記受信されたビューと、前記観察位置とに基づいて、出力ビューを生成させるコンピュータ読み取り可能な記憶媒体。
【発明の詳細な説明】
【技術分野】
【０００１】
［０００１］本発明は、映像表示に関連し、より詳細には実視点（realistic point of view）映像表示に関連する。
【背景技術】
【０００２】
［０００２］２次元および３次元映像システムは非常に高品質のピクチャを提供することができる。しかしながら、画像は概して、呈示デバイス（例えばスクリーン）上で“固まる”ことがあり、観察者が居間を横切って移動するときには例えば同じピクチャが呈示される。
【０００３】
［０００３］シーンの単一のビューを操作することによって、既存の２次元画像を３次元画像に変換して３次元画像を生成するための技術が開発されている。しかしながら、単一のビューから生成される映像内に存在することができる現実感（realism）に関する制限が存在する。例えば、単一のビューを変換するときに、２次元画像は限定された様態において歪むことがある。ある時点で、当該シーンに対する実画像を生成するために、ビューから遮断（occluded）されたアイテムが要求される（ピクセル情報は要求されない）。一部のシステムにおいて、観察者が移動しなおかつ実際のレンダリングを呈示できる量は、この遮断距離（occlusion distance）によって制限されてしまう。
【０００４】
［０００４］したがって、実視点映像を取得し提供するための方法および装置に対する要望が存在する。
【発明の概要】
【０００５】
［０００５］本発明のシステム、方法および装置はそれぞれいくつかの側面を有し、そのうちの一つが単独で所望の属性に対して責任を負うものではない。以下に続く特許請求の範囲によって表現される本発明の範囲を制限することなしに、いくつかの特徴について以下に簡単に議論される。この議論のあとで、特に“発明の詳細な説明”と呼ばれる部分を読んだ後で、人は、本発明の特徴がいかにして実視点映像を含む利点を提供するかを理解するであろう。
【０００６】
［０００６］１つの革新された側面において、実視点映像を提供する方法が提供される。方法は、シーンの複数のビューを取得することを含み、各ビューは取得位置(capture position)を有する。方法は、シーンに対する要求を受信することを含み、前記要求は観察位置を含む、方法は、各ビューの取得位置と、観察位置（viewing position）との比較に基づいて、シーンの１つ以上のビューを特定することを含む。方法は、前記特定されたビューと、前記観察位置とに基づいて出力ビューを生成することを含む。
【０００７】
［０００７］他の革新された側面において、映像を提供するための装置が提供される。装置は、シーンの複数のビューを取得するように構成されたビュー取得回路を含み、ーは取得位置を有する。装置は、シーンに対する要求を受信するように構成された受信器を含み、当該要求は、観察位置を含む。装置は、各ビューの取得位置と観察位置との比較に基づいてシーンの１つ以上のビューを特定するように構成されるビュー選択器を含む。装置は、特定されたビューと、観察位置とに基づいて、出力ビューを生成するように構成されるビュー生成器を含む。
【０００８】
［０００８］さらなる革新された側面において、実映像を提供するための他の装置が提供される。装置は、シーンの複数のビューを取得するための手段を含み、各ビューは取得位置を有する。装置は、シーンに対する要求を受信するための手段を含み、要求は観察位置を含む。装置は、各ビューの取得位置と、観察位置との比較に基づいて、シーンの１つ以上のビューを特定するための手段を含む。装置は、特定されたビューと観察位置とに基づいて出力ビューを生成するための手段を含む。
【０００９】
［０００９］１つの革新された側面において、装置のプロセッサによって実行可能な命令を備えるコンピュータ読み取り可能な記憶媒体が提供される。命令は、装置に、シーンの複数のビューを取得させ、各ビューは取得位置を有する。命令は、装置に、シーンに対する要求を受信させ、要求は観察位置を含む。命令は、装置に、各ビューの取得位置と観察位置との比較に基づいて、シーンの１つ以上のビューを特定させる。命令は、装置に、特定されたビューと観察位置とに基づいて出力ビューを生成させる。
【００１０】
［００１０］他の革新された側面において、実映像を取得するための方法が提供される。方法は、コンテンツ選択と観察位置とを含むコンテンツ要求を送信することを含む。方法は、要求されたコンテンツの１つ以上のビューを受信することを含む。方法は、受信されたビューと観察位置とに基づいて、出力ビューを生成することを含む。
【００１１】
［００１１］さらなる革新された側面において、実映像を取得するための装置が提供される。装置は、コンテンツ選択と観察位置とを含むコンテンツ要求を送信するように構成される送信器を含む。装置は、要求されたコンテンツの１つまたはそれ以上のビューを受信するように構成される受信器を含む。装置は、受信されたビューと観察位置とに基づいて、出力ビューを生成するように構成されたビュー生成器を含む。
【００１２】
［００１２］１つの革新された側面において、実映像を取得するための他の装置が提供される。装置は、コンテンツ選択と観察位置とを含むコンテンツ要求を送信するための手段を含む。装置は、要求されたコンテンツの１つまたはそれ以上のビューを受信するための手段を含む。装置は、受信されたビューと観察位置とに基づいて、出力ビューを生成するための手段を含む。
【００１３】
［００１３］さらに他の革新された側面において、装置のプロセッサによって実行可能な命令を備えたコンピュータ読み取り可能な記憶媒体が提供される。命令は、装置に、コンテンツ選択と観察位置とを含むコンテンツ要求を送信させる。命令は、装置に、要求されたコンテンツの１つまたはそれ以上のビューを受信させる。命令は、装置に、受信されたビューと観察位置とに基づいて、出力ビューを生成させる。
【００１４】
［００１４］１つまたはそれ以上の革新された側面を組み込んだ、これらのおよび他の実装、について以下に図面を参照して説明する。
【図面の簡単な説明】
【００１５】
【図１】［００１５］図１は、例示的実視点映像システムの機能ブロック図を示す。
【図２】［００１６］図２は、実視点映像システムの例示的部分の機能ブロック図を示す。
【図３】［００１７］図３は、実視点映像を要求および提供する例示的プロセスのプロセスフロー図を示す。
【図４】［００１８］図４は、実映像を提供する例示的プロセスのプロセスフロー図を示す。
【図５】［００１９］図５は、実映像を提供するための装置の機能ブロック図を示す。
【図６】［００２０］図６は、実映像を取得する例示的プロセスのプロセスフロー図を示す。
【図７】［００２１］図７は、実映像を取得するための装置の機能ブロック図を示す。
【００１６】
［００２２］図において、可能な範囲において、同じまたは類似の機能を持つ要素は、同じ指示をもつ。
【発明を実施するための形態】
【００１７】
［００２３］以下の詳細な説明は、実視点映像を提供するためのいくつかの装置および方法を提供する。現実感（Realism）は概して、映像呈示の特性が、シーンの視覚的外観をフラットな映像呈示よりもより実生活らしく見せる映像呈示の特性を記述するのに概して用いられる。現実感は、シーンの照明（lighting）(例えば反射やシャドウ)がどのように見えるか、そのシーンがどのぐらいの深さをもっているのか、観察者が観察領域（viewing area）の周りを移動するときに画像は観察者とどのように対話するのか、等に関連している。
【００１８】
［００２４］記述される装置および方法は、観察者が観察領域を移動するのを可能にし、観察者が移動するときに、ビューの新たな点を反映するために映像表示が変化される。自動車の陰に立っている俳優を特徴付けるシーンを観察することを考えてみたい。観察者が左に移動するときに、シーンの“ど真ん中”から見たときに自動車によって遮られていた俳優の足が視界内に入る。さらに、自動車を検査するために観察者がスクリーンにより近づくときに、近い外観を提供するために画像はズームインする。そのような対話による観察は、全体的な観察経験を増長して、映像コンテンツ作成者および提供者に対して新たな機会を提供する。
【００１９】
［００２５］上記したプロセスの１つの制限されない利点は、観察者に対する１つ以上の観察位置に基づいた、単一のビューの選択と取得とを含む。上記したプロセスの他の制限されない利点は、観察者が観察空間を移動するときにおける、映像に基づく位置の動的調整を含む。選択された映像に対して、観察者は、選択された映像の呈示の間に３次元内で移動することができる。それによって、上記のプロセスおよび装置は、変化する観察者の位置にしたがった、選択された映像の、信頼できる、効率の良い、および現実的な呈示を付与する。
【００２０】
［００２６］以下の説明において、一例の完全な理解を提供するために特別な詳細が与えられる。しかしながら、当業者ならば、これらの特別な詳細がなくとも一例を実施することができるものと理解される。例えば、不必要な詳細の一例をあいまいにしないようにするために、電気的部品／デバイスは、ブロック図で示されることができる。他の例において、一例をさらに説明するために、そのような部品、他の構造および技術が詳細に説明される。
【００２１】
［００２７］さらに、一例はプロセスとして説明されることができることに注意されたい。ここにおいて、プロセスは、フローチャート、フローダイアグラム、有限状態ダイアグラム、構造ダイアグラム、あるいはブロックダイアグラムとして説明される。フローチャートは、動作を順次的なプロセスとして記述することができるが、動作の多くは並列すなわち同時に実行することができ、かつプロセスは反復可能である。さらに、動作の順番は再配列可能である。プロセスはその動作が完了したときに停止される。プロセスは、方法、機能、プロシージャ、サブルーチン、サブプログラムなどに対応することができる。プロセスがソフトウエア機能に対応するときに、その停止は機能の、コール機能あるいはメイン機能へのリターンに対応する。
【００２２】
［００２８］当業者ならば、情報および信号は種々の異なる技術および手法のいくつかを用いて表すことができることを理解するであろう。例えば、上記説明の全体にわたって参照されることができるデータ、指令、命令、情報、信号、ビット、シンボルおよびチップは、電圧、電流、電磁波、磁界あるいは粒子、光界あるいは粒子、あるいはそれらの任意の組み合わせによって表すことができる。
【００２３】
［００２９］添付の特許請求の範囲の範囲内で本実施形態の種々の側面について以下に説明される。ここに記述された側面は、広範囲の形態において実現されることができ、ここに記述された特定の構造および／または機能は単なる例示である。本開示に基づいて当業者は、ここに記述された側面は、他の側面とは独立して実装され、これらの側面の２つ以上は種々の方法において組み合わせることが可能である。例えば、装置は実装されることができ、かつ／または方法はここに記述された任意の数の側面を使用して実行されることができる。さらに、そのような装置は実装されることができ、および／またはそのような方法は、ここに記述された１つ以上の側面に加えてまたはそれ以外に他の構造および／または機能を用いて実行されることができる。
【００２４】
［００３０］図１は、例示的実視点映像システムの機能的ブロック図を示す。図１に示されるシステムは、いくつかのセンサ、センサ１０２ａ、センサ１０２ｂ、センサ１０３ｃ、センサ１０２ｄおよびセンサ１０２ｅ（以下では総称してセンサ１０２と呼ぶ）を含む。センサ１０２は、カメラ、マイクロフォン、赤外検出器、あるいはシーンについての情報を取得するように構成された他のデバイスであることができる。センサ１０２は、デジタルまたはアナログであることができる。いくつかの実施形態において、アナログ記録は、センサ１０２によって直接あるいは後処理変換（図示せず）を通してデジタル形態に変換される。
【００２５】
［００３１］各センサ１０２は、取得位置からのシーン情報を取得するように構成される。取得位置は取得角度と取得距離とを含むことができる。取得角度、シーンがセンサ１０２によって取得されたときに、センサ１０２の水平および／または垂直角度を特定することができる。
【００２６】
［００３２］示されるように、５つのセンサがシーンの周りに半円形状に配置される。図１に示されるシーンは、人１０４および自動車１０６を含む。シーンは他の物体および主題を含むことができることを理解すべきである。シーン１０２の位置に応じて、当該位置で見ることができる人１０４の総数は変化する。例えば、センサ１０２ａ、センサ１０２ｂ、そしてセンサ１０２ｃは人１０４の完全なビューを取得することができる。センサ１０２ａおよびセンサ１０２ｂは、自動車１０６のヘッドライトのビューを取得することができない。センサ１０２ｃは人１０２の部分的画像を取得することができ、人１０２の一部は自動車１０６によって遮断される。同様にして、センサ１０２ｄは人１０４の頭部の上部を取得することができるが、人１０４の残りの部分は自動車１０６によって遮断される。
【００２７】
［００３３］したがって、シーンの種々のビューは、シーン内のオブジェクトの異なる詳細を提供するであろう。取得の時間での取得位置は、画像データとともに記憶される。取得位置は、シーンに対して、シーンの構成された“中央”に対して、および／またはシーンを取得するのに用いられる他のセンサに対して、呈示されることができる。
【００２８】
［００３４］取得位置および画像情報は、ビデオサーバ１１０に提供される。取得位置は、シーンの中央ビューからのオフセットとして提供される。いくつかの実装において、取得位置は、センサから他のセンサへの相対値として提供される。
【００２９】
［００３５］取得位置および画像情報は、センサ１０２からビデオサーバ１１０へ電子的に送信されることができる。いくつかの実装において、情報は、デジタルメモリ（例えばＤＶＤ、ＣＤ、ブルーレイ、ネットワークストレージロケーションなど）の中間物によって記憶され、後でビデオサーバ１１０にロードすることができる。いくつかの実装において、ビデオサーバ１１０は、情報のすべてを記憶するのではなく、映像を特定するのに要する情報の一部、利用可能なバージョン、および当該バージョンに対するロケータ情報（例えばユニフォームリソースロケータ（ＵＲＬ））のみを記憶することができる。
【００３０】
［００３６］レンダリングデバイス１１４は、ネットワーク１１２を介して、ビデオサーバ１１０から映像コンテンツを要求することができる。ネットワークは、１つ以上の衛星ネットワーク、ローカルエリアネットワーク、ワイドエリアネットワーク、セルラネットワーク、ピアツーピアネットワークなどを含むことができる。ネットワーク１１２は、公衆ネットワーク（例えばインターネット）あるいは専用（private）ネットワーク（VPN）であることができる。情報は、適切なおよび既知のネットワーク送信プロトコル（例えばＴＣＰ／ＩＰ）を用いてネットワーク１１２を介して送信することができる。
【００３１】
［００３７］レンダリングデバイス１１４は、セットトップボックス、コンソール、コンピュータデバイス（例えばラップトップ、デスクトップ、スマートフォン）などとして実装することができる。レンダリングデバイス１１４はディスプレイ１１６と接続される。ディスプレイ１１６は、液晶ディスプレイ、陰極線菅ディスプレイ、プラズマディスプレイ、タッチスクリーンディスプレイ、あるいは光放出ダイオードディスプレイなどのビデオ画像を呈示するように構成されることができる。ディスプレイ１１６は、２または３次元における画像を呈示するように構成されることができる。いくつかの実装において、レンダリングデバイス１１４は、ディスプレイ１１６内に一体化することができる。
【００３２】
［００３８］ディスプレイ１１６は、中央のビュー位置１２０に関連することができる。中央のビュー位置１２０は概して、ディスプレイ１１６に対する位置を意味し、これによって、観察者は、ディスプレイ１１６と垂直となり、ディスプレイ１１６の表面に関して中央の位置となる。例えば、ディスプレイ１１６が２０インチ正方のディスプレイであるならば、ディスプレイ１１６の左側から１０インチおよびディスプレイ１１６の上部から１０インチの点は、ディスプレイ１１６の表面の中央に対応する。
【００３３】
［００３９］観察者１１８は、中央のビュー位置１２０からディスプレイ１１６を見ていない可能性がある。観察者は、中央のビュー位置からオフセットされた角度に位置付けることができる。当該角度は、観察角度１２４と呼ばれる。図１に示されるように、観察角度１２４は２次元の角度である。観察角度１２４は水平観察及び垂直観察角度を備えることができる。
【００３４】
［００４０］観察者１１８はまたビューからある距離で位置付けることができる。距離は観察距離１２２と呼ばれる。観察角度１２４および／または観察距離１２２などの、観察者の位置情報を使用して、観察者１１８の位置に対して実際的な、シーンの実際のバージョンが提供されることができる。
【００３５】
［００４１］図２は、実視点映像システムの例示的部分の機能的ブロック図を示す。レンダリングデバイス１１４は、コンテンツ選択器２５０を含む。コンテンツ選択器２５０は、表示のための映像コンテンツの選択された一片を受信するように構成される。例えば、コンテンツ選択器２５０は、呈示のための特定の映像を示すリモートコントロールからの信号を受信することができる。いくつかの実装において、ディスプレイ１１６は、表示のためのコンテンツの選択を受信してこの指示をコンテンツ選択器２５０に供給することができる。
【００３６】
［００４２］示されたレンダリングデバイス１１４は、位置検出器２５２を含む。位置検出器２５２は、ディスプレイ１１６の近くに配置された１つ以上の観察者の観察位置を決定するように構成される。一実装において、位置検出器２５２は、リモートコントロールなどのデバイスの位置を決定して、これを観察位置として使用することができる。いくつかの実装において、位置検出器２５２は、観察メガネあるいは着用可能ビーコンなどの、観察者に取り付けられる、あるいは観察者に関連したデバイスからの信号を受信することができる。１つ以上の信号を、光検出器、光源、ジャイロスコープ、グローバルポジショニングシステム、あるいはアンテナ（例えばワイヤレスアンテナ）などの位置検出器２５２に送信するために他のセンサを含めることができる。
【００３７】
［００４３］いくつかの実施形態において、位置検出器２５２は、観察エリアの画像取得に基づいて観察位置を決定することができる。そのような実装において、位置検出器２５２は、ソーファ、本棚、鉢植えの植物、エクササイズ装置、照明または電気器具、装飾品などの観察エリアにおける既知の物体に対する調整された（calibrated）距離および角度を取得することができる。位置検出器２５２は、これらの既知の物体に基づいて、観察エリアの画像を周期的に受信して既知の物体に対する物体の位置を決定することができる。
【００３８】
［００４４］観察位置情報を決定するのに顔認識を含む他の画像検出プロセスを使用することができる。例えば、ディプレイの近くの基準点からの観察エリアの画像を取得すると、人間の顔が特定される。特徴部（例えば、目、鼻、そして前額部）のサイズ、シャドウ、位置、などの画像に含まれる、特定された人間の顔の特質に基づいて、観察距離および／または角度を決定することができる。
【００３９】
［００４５］観察位置を決定する他の方法は、本開示の範囲から逸脱することなしに実装される。
【００４０】
［００４６］示されるレンダリングデバイス１１４はさらに、コンテンツ要求器２５４を含む。コンテンツ要求器２５４は、選択されたコンテンツを要求するように構成される。レンダリングデバイス１１４は、コンテンツソースが、観察位置情報を含むコンテンツ要求を処理するように構成されていると決定すると、コンテンツ要求器２５４は、検出された観察位置情報を含むことができる。位置検出器２５２は、１つ以上の観察者のために観察位置を検出するように構成されることができる。いくつかの実装において、コンテンツ要求器２５４は、コンテンツ要求におけるすべての観察位置を送信することができる。いくつかの実装において、コンテンツ要求器２５４または位置検出器２５２は、複数の観察者のための複合観察位置を生成することができる。例えば、観察位置は、すべての検出された観察位置の平均であることができる。
【００４１】
［００４７］コンテンツ要求は、選択されたコンテンツに対する識別子を含むことができる。識別子は、コンテンツに対するリンク（例えばＵＲＬ）であることができる。コンテンツ要求は、観察位置情報を含むことができる。観察位置情報は、２次元位置情報に対する座標対として含まれることができる。観察位置情報は、３次元位置情報を含むことができる。３次元位置情報は、デカルト座標トリオ（例えばＸ、Ｙ、およびＺ）、球座標、および／または円筒座標などの種々の方法において表すことができる。
【００４２】
［００４８］観察位置情報はさらに、提供された観察位置に対する基準点を示す相対点を含むことができる。相対点の一例は、ディスプレイの中央、ディスプレイの上部、ディスプレイの下部を含む。いくつかの実装において、複数の基準点に対する複数の観察位置は、コンテンツ要求において供給される。
【００４３】
［００４９］より多くの位置情報が提供されるほど、当該位置はより正確に決定されることができる。したがって、コンテンツ要求の中に含まれる位置情報の量は動的に調整されることができる。位置情報の量は、提供される観察位置座標の数および／または位置を表すのに用いられる精度（precision）（例えば小数部分の桁数）を意味することができる。調整は、コンテンツのタイプ（例えばライブ対録画）、ネットワーク１１２リソース、ビデオサーバ１１０資源、そしてレンダリングデバイス１１４の資源に基づくことができる。いくつかの実装において、コンテンツ要求は、ＸＭＬファイルなどのファイル内に含まることができる。
【００４４】
［００５０］コンテンツ要求器２５４は、コンテンツ要求をネットワーク１１２を介してビデオサーバ１１０に送信することができる。
【００４５】
［００５１］ビデオサーバ１１０は、画像データ受信器２０２を含む。画像データ受信器２０２は、映像データなどの画像データを受信するように構成される。画像データ受信器２０２は、映像に関する実際のピクチャ情報を受信することができる。いくつかの実装において、画像データ受信器２０２は、映像データに対するポインタ（例えばＵＲＬ）のみを受信することができる。所定の映像呈示において、画像データ受信器２０２は、各ビューがセンサ１０２に対応する複数のビューを受信することができる。画像データ受信器２０２は、受診した画像データを画像データ記憶部２０４に記憶することができる。
【００４６】
［００５２］要求プロセッサ２０６は、ネットワーク１１２を介してコンテンツ要求器２５４からコンテンツ要求を受信することができる。要求プロセッサ２０６は、選択されたコンテンツが画像データ記憶装置２０４に含まれているかを決定するように構成される。選択されたコンテンツが画像データ記憶部２０４内に特定されたならば、要求プロセッサ２０６はさらに、観察位置に対応する画像データのバージョンが利用可能であるかを決定するように構成される。
【００４７】
［００５３］いくつかの実装において、画像データ記憶部２０４は、特定の観察位置でセンサ１０２によって取得された選択されたコンテンツのバージョンを含むことができる。いくつかの実装において、画像データ記憶部２０４は、特定された観察位置からのバージョンを含まないことがある。要求プロセッサ２０６は、許容値（tolerance value）を取得することができる。許容値は、観察位置変位値（deviation value）を特定することができる。観察位置変位値は、特定された観察位置と、データ記憶部２０４に記憶された画像データの観察位置との間の許容可能な相違を表すことができる。例えば、許容値が５であって、特定された観察角度が７９度であるならば、７０度から取得された選択されたコンテンツのバージョンは許容可能であるとみなされる。同じ許容値５と、８５度の観察角度を用いて、７５度で取得された選択されたコンテンツのバージョンは、呈示に関して許容可能であるとはみなされない。
【００４８】
［００５４］許容値はビデオサーバ１１０内に構成することができる。いくつかの実装において、許容値は受信した画像データの一部として構成されることができる。例えば、ある種のコンテンツは、水平な観察角度よりも垂直な観察角度のほうがより感知しないことが考えられる。そのような実装において、水平なおよび垂直な観察角度に対する観察位置変位許容値は、画像データに関連付けられて画像データ記憶部２０４に記憶することができる。
【００４９】
［００５５］許容値は、例えばコンテンツ要求器２５４によって、コンテンツ要求内に含めることができる。一実装において、コンテンツ要求器２５４は、レンダリングデバイス１１４のメモリに記憶されたユーザ構成から許容値を取得することができる。
【００５０】
［００５６］特定された観察角度のしきい値であるいはしきい値未満で取得された画像データが画像データ記憶部２０４内に含まれるならば、画像データは、ビデオサーバ１１０に含まれるストリーム生成器２０８に供給される。ストリーム生成器２０８は、ネットワーク１１２を介してレンダリングデバイス１１４に送信するのに適した画像データのストリームを生成するように構成される。
【００５１】
［００５７］いくつかの実装において、特定された観察位置は、選択されたコンテンツの２つのバージョンに関する取得位置間に存在することができる。そのような場合において、ストリーム生成器２０８は、特定された観察位置で画像データを提供するために２つのストリームを組み合わせる単一の複合ストリームを生成するように構成されることができる。いくつかの実装において、複合ビューの生成は、補間と呼ぶことができる。
【００５２】
［００５８］いくつかの実装において、ビデオサーバ１１０は、１つまたはそれ以上のビューを提供するように構成されることができる。ストリーム生成器２０８は、選択されたコンテンツの２つのバージョンに対応する画像データをレンダリングデバイス１１４に送信するように構成することができる。そのような実装において、レンダリングデバイス１１４は、受信されたビューをさらに処理するように構成されることができる。レンダリングデバイス１１４内に含まれるコンテンツレンダラ２５６は、提供されたストリームから複合ビューを生成するように構成される。
【００５３】
［００５９］コンテンツレンダラ２５６はまた、表示のための特定された観察位置で選択されたコンテンツに対応する画像ストリームを提供するように構成されることができる。複合ストリームを生成して最終的な出力ストリームを提供することに加えて、コンテンツレンダラ２５６はまた、最終的な呈示に先立ってコンテンツをさらに高める（enhance）ように構成されることができる。例えば、コンテンツレンダラ２５６は、観察者１１８の観察距離１２２を考慮することができる。観察距離１２２に基づいて、コンテンツレンダラ２５６は選択されたコンテンツの一部にズームインすることができる。
【００５４】
［００６０］図２において説明されたシステムは動的システムであることに注意すべきである。したがって、位置検出器２５２は、観察者１１８の位置を周期的に決定してコンテンツおよび／または観察角度を再選択するように構成される。観察位置を決定するための周期は、レンダリングデバイス１１４でユーザによって構成されることができる。周期は、プロセッサ負荷、電池電源、ネットワーク帯域、ネットワーク接続タイプ（例えばセルラ、ＷｉＦｉ、イーサネット（登録商標））などの、レンダリングデバイス１１４の特性に基づいて動的に決定されることができる。
【００５５】
［００６１］図３は、実視点映像を提供するための例示的プロセスのためのプロセスフロー図を示す。図３に示されるプロセスは、ビデオサーバ１１０および／またはレンダリングデバイス１１４内であるいはビデオサーバ１１０および／またはレンダリングデバイス１１４によって実装されることができる。」ノード３０２で、表示のためのコンテンツが特定される。この特定は、スケジュールなどにしたがった、リモートコントロールからの選択の受信、オンスクリーンインタフェース選択、を含むことができる。
【００５６】
［００６２］決定ノード３０４で、特定されたコンテンツに対するコンテンツソースが位置認識的（position aware）であるかについての決定がなされる。コンテンツソースが観察位置情報を受信し、該観察位置情報に部分的に基づいて１つ以上の画像ストリームを提供できる場合、コンテンツソースは位置認識的である。当該決定は、能力情報のために要求をコンテンツソースに送信することを含むことができる。能力情報は、メモリ（例えばキャッシュ）に記憶することができる。いくつかの実装において、コンテンツソースは静的に定義することができる。そのような実装において、当該決定は、特定されたコンテンツソースの特性について静的定義を尋ねることを含む。
【００５７】
［００６３］ノード３０６で、コンテンツソースが位置認識的でないならば、コンテンツに対する要求は、観察位置の決定を行うことなしに生成される。決定ノード３０４に戻って、コンテンツソースが位置認識的であるならば、ノード３０８で観察者の位置が上記したように決定される。ノード３０６で、観察位置情報を含む、コンテンツに対する要求が生成される。
【００５８】
［００６４］ノード３１０で、ビデオサーバ１１０は、要求されたコンテンツを特定する。この特定は、要求されたコンテンツに関して画像データ記憶部２０４に尋ねることを含むことができる。決定ノード３１２で、要求されたビュー位置が存在するかについての決定がなされる。観察位置が要求されたならば（例えば、コンテンツソースが位置認識的でないとき）、特定されたビューはデフォルトのビュー位置であり、当該プロセスは説明されたようにノード３１４に移行する。位置認識的コンテンツソースにおいて、コンテンツの特定されたバージョンが要求されたビュー位置の許容値かあるいは許容値未満であるならば、当該プロセスは同様にノード３１４に移行する。
【００５９】
［００６５］ノード３１４で、特定されたビューが取得される。特定されたビューを取得することは、画像データ記憶部２０４から要求されたコンテンツのための画像データを取り出すことを含む。特定されたビューを取得することは、画像データ記憶部２０４から画像データのための位置情報を取り出して、画像データのダウンロードを開始することを含むことができる。
【００６０】
［００６６］決定ノード３１２に戻って、要求されたビュー位置が存在しないが、コンテンツソースが位置認識的であるならば、ノード３１６で、要求された観察位置を含む２つの位置が特定される。例えば、要求されたビュー角度が７５度であるが、選択されたコンテンツは１０度（例えば１０、２０、３０、４０、５０、６０、７０、８０、および９０度）の間隔のみに置いて取得されることがある。そのような例において、７０度および８０度で取得されるバージョンは、７５度の要求されたビュー角度を包囲する（encompass）であろう。
【００６１】
［００６７］ノード３１８で、特定された包囲するビュー（encompassing view）に基づいて複合ビューが生成される。複合ビューを生成するために、第１の取得されたビュー位置の一部からの画像データと、同じ時間位置での第２の取得されたビュー位置の一部とが特定される。次に特定された部分が組み合わされて複合ビューが生成される。当該組み合わせは、２つのビュー間の画像データを平均化すること、適切な符号画像情報を特定するために空間または特徴検出を実行すること、特定されたビューに基づく補間、あるいは複数のソースから画像データを生成するための他のプロセスを含むことができる。いくつかの実装は、ノード３２０を含むことができる。ノード３２０で、生成された複合ビューは、画像データ記憶部２０４に記憶されることができる。生成された複合ビューに関連する位置情報はまた、生成された複合ビューに関して記憶されることができる。いくつかのシステムにとって、生成された複合ビューを、次の要求のためのシーンの適格なバージョンとして記憶することが望ましい。ノード３２０の記憶は、図３に示される残りの処理の間または残りの処理の後で発生することができる。
【００６２】
［００６８］ノード３２２で、取得されたまたは複合されたビューは、観察角度に基づいてさらに処理される。観察距離による処理は、コンテンツ要求に含まれる観察距離に基づいて、コンテンツの一部に関してズームインまたはズームアウトすることを含む。例えば、観察距離が、シーンに対する取得デバイスの距離に対応するならば、ノード３２２で何の処理も実行されない。観察距離が、シーンに対する取得デバイスの距離よりも小さい距離に対応するならば、ノード３２２で、コンテンツはズームインされてビューの周囲部分を排除しつつビューの残りの部分を拡大する。ズームインは、ビューの１つ以上のスケーリング（scaling）およびクロッピング（cropping）を含むことができる。ビュー距離に基づく処理は、ビデオサーバ１１０に記憶されるかあるいはコンテンツ要求に含まれる構成値などによって構成可能に実行される。
【００６３】
［００６９］当該処理は同様に、装置に対するあるいは特定のコンテンツ選択に対するズーミングの量を制限するように構成される。例えば、ビデオサーバ１１０は、最小および最大のズームを含むことができる。コンテンツ要求に含まれる観察距離が、最大ズーム未満であるならば、ズーミング処理は実行されない。コンテンツ要求に含まれる観察距離が、最大ズームよりも大きいのであれば、当該処理は、特定されたビュー距離にしたがうのではなく、最大までのズームアップを実行することができる。
【００６４】
［００７０］ノード３２４で、コンテンツ要求に基づいて選択かつ処理されたコンテンツを含むビューは、レンダリングデバイス１１４に送信される。この送信は、ビューの単一のストリームである。いくつかの実装において、ビューは、より小さいデータパケットに分割されることができる。そのような実装において、当該送信はパケットのすべてまたは一部を送信することを含むことができる。当該送信は上記したように、有線かあるいは無線で行われる。
【００６５】
［００７１］ノード３２６で、ビューは表示のためにレンダリングされる。レンダリングは、観察者が目標の表示部にビューを表示することを可能にするために、付加的な色補正、フォーマット処理、などを含むことができる。
【００６６】
［００７２］ノード３２８で、レンダリングされたビューは、呈示のための表示部１１６に送信される。当該送信はビューの単一のストリームであることができる。いくつかの実装において、ビューはより小さいデータパケットに分割することができる。そのような実装において、当該送信は、パケットのすべてまたは一部を送信することを含む。当該送信は、上記したように、有線あるいは無線で行われる。いくつかの実装において、レンダリングされたビューは、表示部１１６によってアクセス可能なメモリに記憶されることができる。呈示の時点で、レンダリングされたビューは、呈示のために表示部１１６によってメモリから取り出される。
【００６７】
［００７３］図３において説明した処理は、ビデオサーバ１１０で複合ビューを生成することを含む。いくつかの実装において、複合ビューの生成は、上記したように、レンダリングデバイス１１４によって実行されることができる。同様にして、観察距離に基づく処理は、図３においてビデオサーバ１１０で起こり得ることとして説明された。いくつかの実装において、観察距離に基づく処理は上記したように、レンダリングデバイス１１４で行うことが望ましい。
【００６８】
［００７４］図４は、実映像を提供することの例示的プロセスのためのプロセスフロー図を示す。当該処理は、ここに説明されたデバイスによって全体がまたは一部が実装されることができる。例えば、当該処理は、ビデオサーバ１１０または以下の図５に示されるデバイスによって／デバイスの中で実行されることができる。
【００６９】
［００７５］ノード４０２で、映像のためのシーンの複数のビューが取得される。各ビューは取得位置を含む。取得位置は上記したように、関連するビューが取得されたときにセンサの位置を特定する情報を含む。位置情報は、水平取得角度、垂直取得角度、そして距離情報の１つ以上を含むことができる。
【００７０】
［００７６］ノード４０４で、シーンに関する要求が受信される。該要求は観察位置を含む。観察位置は上記したように、要求されたシーンの観察者の位置を特定する情報を含む。位置情報は、水平な観察角度、垂直な取得角度、そして距離情報の１つ以上を含むことができる。位置情報は表示装置の中央などの固定された観察位置に対して特定されることができる。位置情報は相対的な術語において特定されることができる。
【００７１】
［００７７］ノード４０６で、各ビューの取得位置と観察位置との比較に基づいて、シーンの１つ以上のビューが特定される。例えば、画像記憶部の問い合わせは、シーンと要求された観察位置とを特定することによって実行されることができる。いくつかの実装において、上記したように、複数のビューが選択されることができる。例えば、要求された観察角度が利用可能でないならば、要求された観察角度を取り囲む２つのビューが特定されることができる。
【００７２】
［００７８］ノード４０８で、特定されたビューと観察位置とに基づいて出力ビューが生成される。該生成は、複数のビューが特定されたときに出力ビューを補間することを含む。該生成は、観察距離に基づいて特定されたビューにズームインすることを含むことができる。複数のビューが特定される実装において、該ズーミングは、各特定されたビューあるいは複合ビューに関して実行されることができる。
【００７３】
［００７９］図５は、実映像を提供するためのデバイスの機能的ブロック図を示す。当業者ならば、実際の映像を提供するためのデバイスは、図５に示される簡略化されたデバイス５００よりもより多くのコンポーネントを有することは容易に理解することができる。図５に示されるデバイス５００は、特許請求の範囲による実装のいくつかの顕著な特徴を説明するのに有益なコンポーネントのみを含む。デバイス５００は、ビュー取得回路５０２、要求受信器５０４、ビュー選択器５０６、そしてビュー生成器５０８を含む。
【００７４】
［００８０］ビュー取得回路５０２は、各ビューが取得位置を持つシーンの複数のビューを取得するように構成される。ビュー取得回路５０２は、センサと、カメラと、メモリと、プロセッサと、ネットワークインタフェースと、トランシーバの１つ以上を含むことができる。いくつかの実装において、シーンの複数のビューを取得するための手段は、ビュー取得回路５０２を含む。
【００７５】
［００８１］要求受信器５０４は、シーンに関する要求を受信するように構成され、該要求は観察位置を含む。要求受信器５０４は、アンテナと、シグナルプロセッサと、メモリと、要求解釈器と、ネットワークインタフェースの１つ以上を含むことができる。いくつかの実装において、当該シーンに関する要求を受信するための手段は、要求受信器５０４を含む。
【００７６】
［００８２］ビュー選択器５０６は、各ビューの取得位置と、観察位置との比較に基づいてシーンの１つ以上のビューを特定するように構成される。ビュー選択器５０６は、比較器と、プロセッサと、メモリとの１つ以上を含むことができる。いくつかの実装において、シーンの１つ以上のビューを特定するための手段は、ビュー選択器５０６を含む。
【００７７】
［００８３］ビュー生成器５０８は、特定されたビューと、観察位置とに基づいて出力ビューを生成するように構成される。ビュー生成器５０８は、ビュー補間器と、推定ユニットと、符号化ユニットと、圧縮ユニットと、プロセッサと、メモリの１つ以上を含むことができる。いくつかの実装において、出力ビューを生成するための手段は、ビュー生成器５０８を含む。
【００７８】
［００８４］図６は、実映像を取得するための例示的プロセスのためのプロセスフロー図を示す。当該プロセスは、ここに説明されたデバイスによって全体があるいは一部が実装されることができる。例えば、当該プロセスは、レンダリングデバイス１１４あるいは以下に図７に示されるデバイスによって／において実装されることができる。
【００７９】
［００８５］ノード６０２で、コンテンツ選択および観察位置を含むコンテンツ要求が送信される。コンテンツ要求は、ビデオサーバに送信されることができる。観察位置は、選択されたコンテンツの観察者の観察距離および観察角度の少なくとも１つを含むことができる。いくつかの実装において、観察角度は、水平なおよび／または垂直な観察角度を含むことができる。
【００８０】
［００８６］ノード６０４で、要求されたコンテンツの１つ以上のビューが受信される。各受信されたビューは、取得位置情報を含む。取得位置情報はビューに関する取得角度及び／または距離を特定することができる。
【００８１】
［００８７］ノード６０６で、受信されたビューと観察位置とに基づいて、出力ビューが生成される。いくつかの実装において、これは、２つ以上の受信されたビューに基づいて、出力ビューを補間することを含むことができる。当該生成はまた、観察距離に基づいてビューにズームインすることを含むことができる。
【００８２】
［００８８］図７は、実映像を取得するためのデバイスの機能的ブロック図を示す。当業者ならば、実映像を取得するための手段は、図７に示される簡略化されたデバイス７００よりも多くのコンポーネントを持つことができることを理解するであろう。図７に示されるデバイスは、特許請求の範囲による実装のいくつかの顕著な特徴を説明するのに有益なコンポーネントのみを含む。デバイス７００は、要求送信器７０２と、ビュー受信器７０４と、ビュー生成器７０６を含む。
【００８３】
［００８９］要求送信器７０２は、コンテンツ選択と観察位置とを含むコンテンツ要求を送信するように構成される。要求送信器７０２は、アンテナと、送信器と、電源と、増幅器と、プロセッサと、信号発生器と、メモリの１つ以上を含むことができる。いくつかの実装において、コンテンツ要求を送信するための手段は、要求送信器７０２を含む。
【００８４】
［００９０］ビュー受信器７０４は、要求されたコンテンツの１つ以上のビューを受信するように構成される。ビュー受信器７０４は、受信器と、アンテナと、信号プロセッサと、ネットワークインタフェースと、メモリと、マルチプレクサの１つ以上を含むことができる。いくつかの実装において、要求されたコンテンツの１つ以上を受信するための手段は、ビュー受信器７０４を含む。
【００８５】
［００９１］ビュー生成器７０６は、受信されたビューと観察位置とに基づいて出力ビューを生成するように構成される。ビュー生成器７０６は、ビュー補間器、推定ユニット、符号化ユニットと、圧縮ユニットと、プロセッサと、メモリの１つ以上を含むことができる。いくつかの実装において、出力ビューを生成するための手段は、ビュー生成器７０６を含む。
【００８６】
［００９２］ここにおいて使用されたように、術語“決定する”または“決定すること”は、広範囲の行動を含む。例えば、“決定すること”は、産出すること、計算すること、処理すること、引き出すこと、調査すること、参照すること（例えばテーブル、データベースあるいは他のデータ構造）、確認すること、などを含む。また、“決定すること”は、受信すること（例えば情報の受信）、アクセスすること（例えばメモリ内のデータにアクセスすること）などを含むことができる。また、“決定すること”は、解決すること、選択すること、確立することなどを含むことができる。
【００８７】
［００９３］ここにおいて使用されたように、術語“供給する”または“供給すること”は、広範囲の行動を含む。例えば、“供給すること”は、次に回収のための位置に値を記憶し、値を受理者に直接送信し、値に対する参照を送信あるいは記憶することなどを含むことができる。“供給すること”はさらに、符号化すること、復号すること、暗号化すること、復号化すること、立証すること、照合することなどを含むことができる。
【００８８】
［００９４］ここにおいて使用されるように、品目のリストの“少なくとも１つ”に関するフレーズは、単一の部材を含む、これらの品目の任意の組み合わせを意味する。一例として、“ａ、ｂ、あるいはｃの少なくとも１つ”は、ａ、ｂ、ｃ、ａ−ｂ、ａ−ｃ、ｂ−ｃおよびａ−ｂ−ｃを含有することを意味している。
【００８９】
［００９５］上記した方法の種々の動作は、種々のハードウエアおよび／またはソフトウエアコンポーネント、回路および／またはモジュールなどの、動作を実行することが可能な任意の適切な手段によって実行されることができる。概して、本図に例示された任意の動作は、当該動作を実行することが可能な対応する機能的手段によって実行されることができる。
【００９０】
［００９６］本開示に関連して説明された種々の例示的論理ブロック、モジュールおよび回路は、汎用プロセッサ、デジタルシグナルプロセッサ（ＤＳＰ）、特定用途向け集積回路（ＡＳＩＣ）フィールドプログラマブルゲートアレイ信号（ＦＰＧＡ）あるいは他のプログラマブル論理デバイス（ＰＬＤ）、ディスクリートゲートあるいはトランジスタロジック、ディクリートハードウエアコンポーネントまたはここで説明された機能を実行するように説明されたそれらの任意の組み合わせによって実装あるいは実行されることができる。汎用プロセッサは、マイクロプロセッサであることができ、代替として、プロセッサは市場で入手可能な任意のプロセッサ、コントローラ、マイクロコントローラあるいは状態マシンであることができる。プロセッサは、計算デバイスの組み合わせ、例えば、ＤＳＰとマイクロプロセッサ、複数のマイクロプロセッサ、ＤＳＰコアに関連する１つ以上のマイクロプロセッサ、あるいは任意のその他のそのような構成の組み合わせとして実装することができる。
【００９１】
［００９７］もし、ソフトウエアが、同軸ケーブル、光ファイバケーブル、より対線、デジタルサブスクライバライン（ＤＳＬ）、あるいは赤外、無線およびマイクロ波などを利用した無線技術を用いて、ウエブサイトあるいは他の遠隔ソースから送信されるのであれば、
同軸ケーブル、光ファイバケーブル、より対線、デジタルサブスクライバライン（ＤＳＬ）、あるいは赤外、無線およびマイクロ波などを利用した無線技術は、媒体の定義に含まれる。ここで用いられるディスク（Ｄｉｓｋ）およびディスク（Ｄｉｓｃ）は、コンパクトディスク（ＣＤ）、レーザーディスク（登録商標）、光ディスク、デジタルバサタイルディスク（ＤＶＤ）、フロッピー（登録商標）ディスク、ブルーレイディスクを含み、ここにおいて、ディスク（Ｄｉｓｋ）は概して磁気的にデータを再生するのに対して、ディスク（Ｄｉｓｃ）は、レーザによって光学的にデータを再生する。すなわち、いくつかの側面において、コンピュータ読み取り可能な媒体は、非一時的なコンピュータ読み取り可能な媒体（例えば触知可能な媒体）を備えることができる。さらに、いくつかの側面において、コンピュータ読み取り可能な媒体は、一時的なコンピュータ読み取り可能な媒体（例えば信号）を備えることができる。上記の組み合わせもまた、コンピュータ読み取り可能な媒体の範囲に含まれるものとする。
【００９２】
［００９８］ここにおいて記述された方法は、所望の方法を達成するための１つ以上のステップあるいはアクションを備える。当該方法ステップ及び／またはアクションは、特許請求の範囲から逸脱することなしにお互いに交換することができる。言い換えると、ステップあるいはアクションの特定の順番が特定されることなしには、特定のステップ及び／またはアクションの順番及び／または使用は特許請求の範囲から逸脱することなしに変更することができる。
【００９３】
［００９９］記述された機能はハードウエア、ソフトウエア、ファームウエアあるいはそれらの任意の組み合わせにおいて実装することができる。ソフトウエアにより実装される場合には、当該機能は１つ以上の命令としてコンピュータ読み取り可能な媒体に記憶することができる。記憶媒体はコンピュータによってアクセス可能な任意尾利用可能媒体であることができる。限定されないが例として、そのようなコンピュータ読み取り可能な媒体は、ＲＡＭ、ＲＯＭ、ＥＥＰＲＯＭ、ＣＤ−ＲＯＭあるいは他の光ディスクストレージ、磁気ディスクストレージあるいは他の磁気記憶デバイス、あるいは、コンピュータによってアクセス可能な命令あるいはデータ構造の形態で所望のプログラムコードを搬送あるいは記憶するのに用いることができる他の任意の媒体を備えることができる。ここで用いられるディスク（Ｄｉｓｋ）およびディスク（Ｄｉｓｃ）は、コンパクトディスク（ＣＤ）、レーザディスク、光ディスク、デジタルバサタイルディスク（ＤＶＤ）、フロッピーディスク、ブルーレイディスクを含み、ここにおいて、ディスク（Ｄｉｓｋ）は概して磁気的にデータを再生するのに対して、ディスク（Ｄｉｓｃ）は、レーザによって光学的にデータを再生する。
【００９４】
［００１００］すなわち、ある側面は、ここに提示されたオペレーションを実行するためのコンピュータプログラムプロダクトを備えることができる。例えば、そのようなコンピュータプログラムプロダクトは、そこに記憶（及び／または符号化）された命令を有するコンピュータ読み取り可能な媒体を備えることができる。当該命令は、ここに記述されたオペレーションを実行するために１つ以上のプロセッサによって実行可能である。ある種の側面の場合、コンピュータプログラムプロダクトは、パッケージ材料を含むことができる。
【００９５】
［００１０１］ソフトウエアあるいは命令はまた、転送媒体を介して送信することができる。例えば、もし、ソフトウエアが、同軸ケーブル、光ファイバケーブル、より対線、デジタルサブスクライバライン（ＤＳＬ）、あるいは赤外、無線およびマイクロ波などを利用した無線技術を用いて、ウエブサイトあるいは他の遠隔ソースから送信されるのであれば、
同軸ケーブル、光ファイバケーブル、より対線、デジタルサブスクライバライン（ＤＳＬ）、あるいは赤外、無線およびマイクロ波などを利用した無線技術は、転送媒体の定義に含まれる。
【００９６】
［００１０２］さらに、モジュールおよび／またはここに記述された方法および技術を実行するための他の適切な手段は、適当な符号化デバイスおよび／または復号デバイスによって取得および／またはダウンロードすることができる。たとえばそのようなデバイスは、ここに記述された方法を実行するための手段の転送を行うためにサーバに接続することができる。あるいは、ここに記述された種々の方法は、ストレージ手段（例えばＲＡＭ、ＲＯＭ、コンパクトディスク（ＣＤ）あるいはフロッピーディスクなどの物理的記憶媒体）を介して提供されることができ、これによってユーザ端末及び／または基地局は接続により種々の方法を取得することができ、記憶手段をデバイスに提供することができる。さらに、ここに記述された方法及び技術をデバイスに提供するための他の任意の技術を利用することができる。
【００９７】
［００１０３］特許請求の範囲は、上で例示された正確な構成およびコンポーネントに限定されるものではない。特許請求の範囲から逸脱することなしに、構成、オペレーションそして上に記述された方法および装置の詳細の中に、種々の改善、変更および変形が行われることができる。
【００９８】
［００１０４］上記したものは本開示の側面に向けられているが、本開示の他のおよびさらなる側面は、それの基本的範囲から逸脱しないで考案することができる。その範囲は以下に述べる特許請求の範囲によって決定される。
【図１】
2016507929.tif 000003
【図２】
2016507929.tif 000004
【図３】
2016507929.tif 000005
【図４】
2016507929.tif 000006
【図５】
2016507929.tif 000007
【図６】
2016507929.tif 000008
【図７】
2016507929.tif 000009
【手続補正書】
【提出日】平成27年10月22日(2015.10.22)
【手続補正１】
【補正対象書類名】特許請求の範囲
【補正対象項目名】全文
【補正方法】変更
【補正の内容】
【特許請求の範囲】
【請求項１】
実映像を提供するための方法であって、前記方法は、
シーンの複数のビューを取得することと、各ビューは、前記ビューを取得するセンサの取得距離と取得角度とを特定する取得位置をもち、
前記シーンに対する要求を受信することと、前記要求は、観察位置を含み、
各ビューの前記取得位置と、前記観察位置との比較に基づいて、前記シーンの前記複数のビューのうちの少なくとも２つを特定することと、
前記観察位置に基づいて、前記特定されたビューを含む出力ビューを生成することと、
を備える方法。
【請求項２】
前記観察位置は、前記映像の観察者の観察距離と、観察角度の少なくとも一方を含む請求項１の方法。
【請求項３】
前記シーンの複数のビューを取得することは、センサからの各ビューを受信することを備える請求項１の方法。
【請求項４】
前記シーンの複数のビューを取得することは、メモリからの各ビューを取得することを備える請求項１の方法。
【請求項５】
前記要求を受信することは、前記シーンに対する要求を周期的に受信することを備え、各要求は観察位置を含む請求項１の方法。
【請求項６】
前記複数のビューのうちの少なくとも２つを特定することは、前記受信された観察位置に実質的に整列する取得位置に関連するビューを特定することを備える請求項１の方法。
【請求項７】
前記複数のビューのうちの少なくとも２つを特定することは、第１の取得位置をもつ第１のビューと、第２の取得位置をもつ第２のビューとを特定することを備え、前記受信された観察位置は、前記第１の取得位置と前記第２の取得位置との間にある請求項１の方法。
【請求項８】
前記出力ビューを生成することは、前記第１のビューと前記第２のビューとに基づいて補間されたビューを生成することを備える請求項７の方法。
【請求項９】
前記出力ビューを生成することは、前記観察位置に少なくとも部分的に基づいて前記出力ビューに含まれる前記特定されたビューをスケーリングすることを備える請求項１の方法。
【請求項１０】
前記出力ビューを生成することは、前記観察位置に少なくとも部分的に基づいて、前記出力ビューに含まれる前記特定されたビューをクロッピングすることを備える請求項１の方法。
【請求項１１】
前記方法はさらに、前記出力ビューを送信することを備える請求項１の方法。
【請求項１２】
実映像を提供するための装置であって、前記システムは、
シーンの複数のビューを取得するように構成されたビュー取得回路と、各ビューは、前記ビューを取得するセンサの取得距離と取得角度とを特定する取得位置をもち、
前記シーンに対する要求を受信するように構成された受信器と、前記要求は観察位置を含み、
各ビューの前記取得位置と、前記観察位置との比較に基づいて、前記シーンの前記複数のビューのうちの少なくとも２つを特定するように構成されたビュー選択器と、
前記観察位置に基づいて、前記特定されたビューを含む出力ビューを生成するように構成されたビュー生成器と、
を備える装置。
【請求項１３】
前記観察位置は、前記映像の観察者の観察距離と観察角度の少なくとも一方を含む請求項１２の装置。
【請求項１４】
前記ビュー取得回路は、センサからの前記シーンの前記複数のビューの各々を取得するように構成される請求項１２の装置。
【請求項１５】
前記ビュー取得回路は、メモリからの前記シーンの前記複数のビューの各々を取得するように構成される請求項１２の装置。
【請求項１６】
前記受信器は、前記シーンに対する要求を周期的に受信するように構成され、各要求は観察位置を含む請求項１２の装置。
【請求項１７】
前記ビュー選択器は、前記受信された観察位置に実質的に整列する取得位置に関連するビューを特定するように構成される請求項１２の装置。
【請求項１８】
前記ビュー選択器は、第１の取得位置をもつ第１のビューと、第２の取得位置をもつ第２のビューとを特定するように構成され、前記受信された観察位置は、前記第１の取得位置と前記第２の取得位置との間にある請求項１２の装置。
【請求項１９】
前記ビュー生成器は、前記第１のビューと前記第２のビューとに基づいて、補間されたビューを生成するように構成された請求項１８の装置。
【請求項２０】
前記ビュー生成器は、前記観察位置に少なくとも部分的に基づいて、前記出力ビューに含まれる前記特定されたビューをスケーリングするように構成される請求項１２の装置。
【請求項２１】
前記ビュー生成器は、前記観察位置に少なくとも部分的に基づいて、前記出力ビューに含まれる前記特定されたビューをクロッピングするように構成される請求項１２の装置。
【請求項２２】
前記出力ビューを送信するように構成された送信器をさらに備える請求項１２に記載の装置。
【請求項２３】
実映像を提供するための装置であって、
シーンの複数のビューを取得するための手段と、各ビューは、前記ビューを取得するセンサの取得距離と取得角度とを特定する取得位置をもち、
前記シーンに対する要求を受信するための手段と、前記要求は観察位置を含み、
各ビューの前記取得位置と、前記観察位置との比較に基づいて、前記シーンの前記複数のビューのうちの少なくとも２つを特定するための手段と、
前記観察位置に基づいて、前記特定されたビューを含む出力ビューを生成するための手段と、
を具備する装置。
【請求項２４】
装置のプロセッサによって実行可能な命令を備えるコンピュータ読み取り可能な記憶媒体であって、前記命令は、前記装置に、
シーンの複数のビューを取得させ、ここにおいて、各ビューは、前記ビューを取得するセンサの取得距離と取得角度とを特定する取得位置をもち、
前記シーンに対する要求を受信させ、ここにおいて、前記要求は観察位置を含み、
各ビューの前記取得位置と、前記観察位置との比較に基づいて、前記シーンの前記複数のビューのうちの少なくとも２つを特定させ、
前記観察位置に基づいて、前記特定されたビューを含む出力ビューを生成させる、
コンピュータ読み取り可能な記憶媒体。
【請求項２５】
実映像を取得する方法であって、
コンテンツ選択と、観察位置とを含むコンテンツ要求を送信することと、
前記要求されたコンテンツの複数のビューを受信することと、前記受信されたビューの各々は、前記ビューを取得するセンサの取得距離と取得角度を含み、
前記受信されたビューと、前記観察位置とに基づいて、出力ビューを生成することと、
を備える方法。
【請求項２６】
前記観察位置は、前記選択されたコンテンツの観察者の観察距離と、観察角度の少なくとも１つを含む請求項２５の方法。
【請求項２７】
前記観察角度は、水平観察及び垂直観察角度の少なくとも一方を含む請求項２６の方法。
【請求項２８】
前記観察位置を取得することをさらに備え、前記観察位置を取得することは、
センサからのセンサデータを受信することと、
前記受信されたセンサデータに少なくとも部分的に基づいて前記観察位置を決定することと、
を備える請求項２５の方法。
【請求項２９】
前記センサは、光検出器、光源、ジャイロスコープ、およびアンテナの少なくとも１つを備える請求項２８の方法。
【請求項３０】
前記センサは、画像取得装置を備える請求項２８の方法。
【請求項３１】
前記観察位置を決定することは、
前記画像取得装置によって取得された画像におけるオブジェクトを特定することと、ここにおいて、前記オブジェクトは顔の特質、備え付け家具、装飾品および電子装置のうちの１つを含み、
前記特定されたオブジェクトの特性に基づいて、前記観察位置を決定することと、ここにおいて、前記特性は、色、位置、反射の少なくとも１つを含む、
を備える請求項３０の方法。
【請求項３２】
前記コンテンツ要求は、ビデオサーバに送信される請求項２５の方法。
【請求項３３】
前記複数のビューを受信することは、第１の取得位置をもつ第１のビューと、第２の取得位置をもつ第２のビューと、を受信することを備え、前記観察位置は、前記第１の取得位置と、前記第２の取得位置の間にある、請求項２５の方法。
【請求項３４】
前記出力ビューを生成することは、前記第１のビューと、前記第２のビューとに基づいて、補間されたビューを生成することを備える請求項３３の方法。
【請求項３５】
前記出力ビューを生成することは、前記観察位置に少なくとも部分的に基づいて、前記出力ビューをスケーリングすることを備える請求項２５の方法。
【請求項３６】
前記出力ビューを生成することは、前記観察位置に少なくとも部分的に基づいて、前記出力ビューをクロッピングすることを備える請求項２５の方法。
【請求項３７】
実映像を取得するための装置であって、
コンテンツ選択と観察位置とを含むコンテンツ要求を送信するように構成された送信器と、
前記要求されたコンテンツの複数のビューを受信するように構成された受信器と、前記受信されたビューの各々は、前記ビューを取得するセンサの取得距離と取得角度を含み、
前記受信されたビューと、前記観察位置とに基づいて、出力ビューを生成するように構成されたビュー生成器と、
を備える装置。
【請求項３８】
前記観察位置は、前記選択されたコンテンツの観察者の観察距離と、観察角度の少なくとも一方を含む請求項３７の装置。
【請求項３９】
前記観察角度は、水平観察及び垂直観察角度の少なくとも一方を含む請求項３８の装置。
【請求項４０】
センサから受信したデータに少なくとも部分的に基づいて前記観察位置を決定するように構成された位置検出器をさらに備える請求項３７の装置。
【請求項４１】
前記センサは、光検出器、光源、ジャイロスコープ、およびアンテナの少なくとも１つを備える請求項４０の装置。
【請求項４２】
前記センサは、画像取得装置を備える請求項４０の装置。
【請求項４３】
前記位置検出器は、
前記画像取得装置によって取得された画像におけるオブジェクトを特定し、ここにおいて、前記オブジェクトは顔の特質、備え付け家具、装飾品および電子装置のうちの１つを含み、
前記特定されたオブジェクトの特性に基づいて、前記観察位置を決定する、ここにおいて、前記特性は、色、位置、および反射の少なくとも１つを含む、
ように構成される、請求項４２の装置。
【請求項４４】
前記コンテンツ要求は、ビデオサーバに送信される請求項３７の装置。
【請求項４５】
受信された前記複数のビューは、第１の取得位置をもつ第１のビューと、第２の取得位置をもつ第２のビューとを備え、前記観察位置は、前記第１の取得位置と、前記第２の取得位置の間にある、請求項３７の装置。
【請求項４６】
前記出力ビューは、前記第１のビューと、前記第２のビューとに基づく補間されたビューである請求項４５の装置。
【請求項４７】
前記出力ビューは、前記観察位置に少なくとも部分的に基づいてスケーリングされる請求項３７の装置。
【請求項４８】
前記出力ビューは、前記観察位置少なくとも部分的に基づいてクロッピングされる請求項３７の装置。
【請求項４９】
実映像を取得するための装置であって、
コンテンツ選択と、観察位置とを含むコンテンツ要求を送信するための手段と、
前記要求されたコンテンツの複数のビューを受信するための手段と、前記受信されたビューの各々は、前記ビューを取得するセンサの取得距離と取得角度を含み、
前記受信されたビューと、前記観察位置とに基づいて、出力ビューを生成するための手段と、
を備える装置。
【請求項５０】
装置のプロセッサによって実行可能な命令を備えるコンピュータ読み取り可能な記憶媒体であって、前記命令は、前記装置に、
コンテンツ選択と、観察位置とを含むコンテンツ要求を送信させ、
前記要求されたコンテンツの複数のビューを受信させ、前記受信されたビューの各々は、前記ビューを取得するセンサの取得距離と取得角度を含み、
前記受信されたビューと、前記観察位置とに基づいて、出力ビューを生成させる、
コンピュータ読み取り可能な記憶媒体。
【手続補正２】
【補正対象書類名】明細書
【補正対象項目名】００９８
【補正方法】変更
【補正の内容】
【００９８】
［００１０４］上記したものは本開示の側面に向けられているが、本開示の他のおよびさらなる側面は、それの基本的範囲から逸脱しないで考案することができる。その範囲は以下に述べる特許請求の範囲によって決定される。
以下に、本願出願の当初の特許請求の範囲に記載された発明を付記する。
［Ｃ１］実映像を提供するための方法であって、前記方法は、
シーンの複数のビューを取得することであって、各ビューは取得位置をもつことと、
前記シーンに対する要求を受信することであって、前記要求は、観察位置を含むことと、
各ビューの前記取得位置と、前記観察位置との比較に基づいて、前記シーンの１つ以上のビューを特定することと、
前記特定されたビューと前記観察位置とに基づいて、出力ビューを生成することと、を備える方法。
［Ｃ２］前記取得位置は、前記ビューを取得するセンサの取得距離と取得角度の少なくとも一方を含むＣ１の方法。
［Ｃ３］前記観察位置は、前記映像の観察者の観察距離と、観察角度の少なくとも一方を含むＣ１の方法。
［Ｃ４］前記シーンの複数のビューを取得することは、センサからの各ビューを受信することを備えるＣ１の方法。
［Ｃ５］前記シーンの複数のビューを取得することは、メモリからの各ビューを取得することを備えるＣ１の方法。
［Ｃ６］前記要求を受信することは、前記シーンに対する要求を周期的に受信することを備え、各要求は観察位置を含むＣ１の方法。
［Ｃ７］１つ以上のビューを特定することは、前記受信された観察位置に実質的に整列する取得位置に関連するビューを特定することを備えるＣ１の方法。
［Ｃ８］１つ以上のビューを特定することは、第１の取得位置をもつ第１のビューと、第２の取得位置をもつ第２のビューとを特定することを備え、前記受信された観察位置は、前記第１の取得位置と前記第２の取得位置との間にあるＣ１の方法。
［Ｃ９］前記出力ビューを生成することは、前記第１のビューと前記第２のビューとに基づいて補間されたビューを生成することを備えるＣ８の方法。
［Ｃ１０］前記出力ビューを生成することは、前記観察位置に部分的に基づいて前記出力ビューをスケーリングすることを備えるＣ１の方法。
［Ｃ１１］前記出力ビューを生成することは、前記観察位置に少なくとも部分的に基づいて、前記出力ビューをクロッピングすることを備えるＣ１の方法。
［Ｃ１２］前記方法はさらに、前記出力ビューを送信することを備えるＣ１の方法。
［Ｃ１３］実映像を提供するための装置であって、前記システムは、
シーンの複数のビューを取得するように構成されたビュー取得回路であって、前記各ビューは取得位置をもつビュー取得回路と、
前記シーンに対する要求を受信するように構成された受信器であって、前記要求は観察位置を含む受信器と、
各ビューの前記取得位置と、前記観察位置との比較に基づいて、前記シーンの１つ以上のビューを特定するように構成されたビュー選択器と、
前記特定されたビューと、前記観察位置とに基づいて、出力ビューを生成するように構成されたビュー生成器と、を備える装置。
［Ｃ１４］前記取得位置は、前記ビューを取得するセンサの取得距離と取得角度の少なくとも一方を含むＣ１３の装置。
［Ｃ１５］前記観察位置は、前記映像の観察者の観察距離と観察角度の少なくとも一方を含むＣ１３の装置。
［Ｃ１６］前記ビュー取得回路は、センサからの前記シーンの前記複数のビューの各々を取得するように構成されるＣ１３の装置。
［Ｃ１７］前記ビュー取得回路は、メモリからの前記シーンの前記複数のビューの各々を取得するように構成されるＣ１３の装置。
［Ｃ１８］前記受信器は、前記シーンに対する要求を周期的に受信するように構成され、各要求は観察位置を含むＣ１３の装置。
［Ｃ１９］前記ビュー選択器は、前記受信された観察位置に実質的に整列する取得位置に関連するビューを特定するように構成されるＣ１３の装置。
［Ｃ２０］前記ビュー選択器は、第１の取得位置をもつ第１のビューと、第２の取得位置をもつ第２のビューとを特定するように構成され、前記受信された観察位置は、前記第１の取得位置と前記第２の取得位置との間にあるＣ１３の装置。
［Ｃ２１］前記ビュー生成器は、前記第１のビューと前記第２のビューとに基づいて、補間されたビューを生成するように構成されたＣ２０の装置。
［Ｃ２２］前記ビュー生成器は、前記観察位置に少なくとも部分的に基づいて、前記出力ビューをスケーリングするように構成されるＣ１３の装置。
［Ｃ２３］前記ビュー生成器は、前記観察位置に少なくとも部分的に基づいて、前記出力ビューをクロッピングするように構成されるＣ１３の装置。
［Ｃ２４］前記出力ビューを送信するように構成された送信器をさらに備えるＣ１３に記載の装置。
［Ｃ２５］実映像を提供するための装置であって、
シーンの複数のビューを取得するための手段であって、各ビューは取得位置を持つ手段と、
前記シーンに対する要求を受信するための手段であって、前記要求は観察位置を含む手段と、
各ビューの前記取得位置と、前記観察位置との比較に基づいて、前記シーンの１つ以上のビューを特定するための手段と、
前記特定されたビューと、前記観察位置とに基づいて、出力ビューを生成するための手段と、
を具備する装置。
［Ｃ２６］装置のプロセッサによって実行可能な命令を備えるコンピュータ読み取り可能な記憶媒体であって、前記命令は、前記装置に、
シーンの複数のビューを取得させ、ここにおいて、各ビューは取得位置をもち、
前記シーンに対する要求を受信させ、ここにおいて、前記要求は観察位置を含み、
各ビューの前記取得位置と、前記観察位置との比較に基づいて、前記シーンの１つ以上のビューを特定させ、
前記特定されたビューと、前記観察位置とに基づいて、出力ビューを生成させる、コンピュータ読み取り可能な記憶媒体。
［Ｃ２７］実映像を取得する方法であって、
コンテンツ選択と、観察位置とを含むコンテンツ要求を送信することと、
前記要求されたコンテンツの１つ以上のビューを受信することと、
前記受信されたビューと、前記観察位置とに基づいて、出力ビューを生成することと、を備える方法。
［Ｃ２８］前記観察位置は、前記選択されたコンテンツの観察者の観察距離と、観察角度の少なくとも１つを含むＣ２７の方法。
［Ｃ２９］前記観察角度は、水平観察及び垂直観察角度の少なくとも一方を含むＣ２８の方法。
［Ｃ３０］前記観察位置を取得することをさらに備え、前記観察位置を取得することは、
センサからのセンサデータを受信することと、
前記受信されたセンサデータに少なくとも部分的に基づいて前記観察位置を決定することと、を備えるＣ２７の方法。
［Ｃ３１］前記センサは、光検出器、光源、ジャイロスコープ、アンテナの少なくとも１つを備えるＣ３０の方法。
［Ｃ３２］前記センサは、画像取得装置を備えるＣ３０の方法。
［Ｃ３３］前記観察位置を決定することは、
前記画像取得装置によって取得された画像におけるオブジェクトを特定することと、ここにおいて、前記オブジェクトは顔の特質, 備え付け家具、装飾品および電子装置の１つを含み、
前記特定されたオブジェクトの特性に基づいて、前記観察位置を決定することと、ここにおいて、前記特性は、色、位置、反射の少なくとも１つを含み、を備えるＣ３２の方法。
［Ｃ３４］前記コンテンツ要求は、ビデオサーバに送信されるＣ２７の方法。
［Ｃ３５］前記受信されたビューの各々は、取得角度を含むＣ２７の方法。
［Ｃ３６］１つ以上のビューを受信することは、第１の取得位置をもつ第１のビューと、第２の取得位置をもつ第２のビューと、を受信することを備え、前記観察位置は、前記第１の取得位置と、前記第２の取得位置の間にある、Ｃ２７の方法。
［Ｃ３７］前記出力ビューを生成することは、前記第１のビューと、前記第２のビューとに基づいて、補間されたビューを生成することを備えるＣ３６の方法。
［Ｃ３８］前記出力ビューを生成することは、前記観察位置に少なくとも部分的に基づいて、前記出力ビューをスケーリングすることを備えるＣ２７の方法。
［Ｃ３９］前記出力ビューを生成することは、前記観察位置に少なくとも部分的に基づいて、前記出力ビューをクロッピングすることを備えるＣ２７の方法。
［Ｃ４０］実映像を取得するための装置であって、
コンテンツ選択と観察位置とを含むコンテンツ要求を送信するように構成される送信器と、
前記要求されたコンテンツの１つ以上のビューを受信するように構成された受信器と、
前記受信されたビューと、前記観察位置とに基づいて、出力ビューを生成するように構成されたビュー生成器と、
を備える装置。
［Ｃ４１］前記観察位置は、前記選択されたコンテンツの観察者の観察距離と、観察角度の少なくとも一方を含むＣ４０の装置。
［Ｃ４２］前記観察角度は、水平観察及び垂直観察角度の少なくとも一方を含むＣ４１の装置。
［Ｃ４３］センサから受信したデータに少なくとも部分的に基づいて前記観察位置を決定するように構成された位置検出器をさらに備えるＣ４０の装置。
［Ｃ４４］前記センサは、光検出器、光源、ジャイロスコープ、アンテナの少なくとも１つを備えるＣ４３の装置。
［Ｃ４５］前記センサは、画像取得装置を備えるＣ４３の装置。
［Ｃ４６］前記位置検出器は、
前記画像取得装置によって取得された画像におけるオブジェクトを特定することと、ここにおいて、前記オブジェクトは顔の特質, 備え付け家具、装飾品および電子装置の１つを含み、
前記特定されたオブジェクトの特性に基づいて、前記観察位置を決定することと、ここにおいて、前記特性は、色、位置、及び反射の少なくとも１つを含む、を備えるＣ４５の装置。
［Ｃ４７］前記コンテンツ要求は、ビデオサーバに送信されるＣ４０の装置。
［Ｃ４８］前記受信されたビューの各々は、取得角度を含むＣ４０の装置。
［Ｃ４９］前記１つ以上の受信されたビューは、第１の取得位置をもつ第１のビューと、第２の取得位置をもつ第２のビューとを備え、前記観察位置は、前記第１の取得位置と、前記第２の取得位置の間にある、Ｃ２７の装置。
［Ｃ５０］前記出力ビューは、前記第１のビューと、前記第２のビューとに基づく補間されたビューであるＣ４９の装置。
［Ｃ５１］前記出力ビューは、前記観察位置に少なくとも部分的に基づいてスケーリングされるＣ４０の装置。
［Ｃ５２］前記出力ビューは、前記観察位置少なくとも部分的に基づいてクロッピングされるＣ４０の装置。
［Ｃ５３］実映像を取得するための装置であって、
コンテンツ選択と、観察位置とを含むコンテンツ要求を送信するための手段と、
前記要求されたコンテンツの１つ以上のビューを受信するための手段と、
前記受信されたビューと、前記観察位置とに基づいて、出力ビューを生成するための手段と、を備える装置。
［Ｃ５４］装置のプロセッサによって実行可能な命令を備えるコンピュータ読み取り可能な記憶媒体であって、前記命令は、前記装置に、
コンテンツ選択と、観察位置とを含むコンテンツ要求を送信させ、
前記要求されたコンテンツの１つ以上のビューを受信させ、
前記受信されたビューと、前記観察位置とに基づいて、出力ビューを生成させるコンピュータ読み取り可能な記憶媒体。
【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
実映像を提供するための方法であって、前記方法は、
シーンの複数のビューを取得することと、各ビューは、前記ビューのための画像データを取得するセンサの取得距離と取得角度とを特定する取得位置をもち、
観察装置からの前記シーンに対する要求を受信することと、前記要求は、前記観察装置に対する観察位置を含み、
各ビューの前記取得位置と、前記観察位置との比較に基づいて、前記シーンの前記複数のビューのうちの少なくとも２つを特定することと、
前記観察装置への送信のために、前記特定されたビューのための画像データを含む出力ストリームを生成することと、
を備える方法。
【請求項２】
前記観察位置は、前記映像の観察者の観察距離と、観察角度の少なくとも一方を含む請求項１の方法。
【請求項３】
前記シーンの複数のビューを取得することは、センサからの各ビューを受信することを備える請求項１の方法。
【請求項４】
前記シーンの複数のビューを取得することは、メモリからの各ビューを取得することを備える請求項１の方法。
【請求項５】
前記要求を受信することは、前記シーンに対する要求を周期的に受信することを備え、各要求は観察位置を含む請求項１の方法。
【請求項６】
前記複数のビューのうちの少なくとも２つを特定することは、前記受信された観察位置に実質的に整列する取得位置に関連するビューを特定することを備える請求項１の方法。
【請求項７】
前記複数のビューのうちの少なくとも２つを特定することは、第１の取得位置をもつ第１のビューと、第２の取得位置をもつ第２のビューとを特定することを備え、前記受信された観察位置は、前記第１の取得位置と前記第２の取得位置との間にある請求項１の方法。
【請求項８】
前記出力ストリームを生成することは、前記第１のビューと前記第２のビューとに基づいて補間されたビューを生成することを備える請求項７の方法。
【請求項９】
前記出力ストリームを生成することは、前記観察位置に少なくとも部分的に基づいて前記出力ストリーム含まれる前記特定されたビューをスケーリングすることを備える請求項１の方法。
【請求項１０】
前記出力ストリームを生成することは、前記観察位置に少なくとも部分的に基づいて、前記出力ストリームに含まれる前記特定されたビューをクロッピングすることを備える請求項１の方法。
【請求項１１】
前記方法はさらに、前記観察装置に前記出力ストリームを送信することを備える請求項１の方法。
【請求項１２】
実映像を提供するための装置であって、前記装置は、
シーンの複数のビューを取得するように構成されたビュー取得回路と、各ビューは、前記ビューのための画像データを取得するセンサの取得距離と取得角度とを特定する取得位置をもち、
観察装置からの前記シーンに対する要求を受信するように構成された受信器と、前記要求は、前記観察装置に対する観察位置を含み、
各ビューの前記取得位置と、前記観察位置との比較に基づいて、前記シーンの前記複数のビューのうちの少なくとも２つを特定するように構成されたビュー選択器と、
前記特定されたビューのための画像データを含む出力ストリームを生成するように構成されたストリーム生成器と、
を備える装置。
【請求項１３】
前記観察位置は、前記映像の観察者の観察距離と観察角度の少なくとも一方を含む請求項１２の装置。
【請求項１４】
前記ビュー取得回路は、センサからの前記シーンの前記複数のビューの各々を取得するように構成される請求項１２の装置。
【請求項１５】
前記ビュー取得回路は、メモリからの前記シーンの前記複数のビューの各々を取得するように構成される請求項１２の装置。
【請求項１６】
前記受信器は、前記シーンに対する要求を周期的に受信するように構成され、各要求は観察位置を含む請求項１２の装置。
【請求項１７】
前記ビュー選択器は、前記受信された観察位置に実質的に整列する取得位置に関連するビューを特定するように構成される請求項１２の装置。
【請求項１８】
前記ビュー選択器は、第１の取得位置をもつ第１のビューと、第２の取得位置をもつ第２のビューとを特定するように構成され、前記受信された観察位置は、前記第１の取得位置と前記第２の取得位置との間にある請求項１２の装置。
【請求項１９】
前記ストリーム生成器は、前記第１のビューと前記第２のビューとに基づいて、補間されたビューを生成するように構成された請求項１８の装置。
【請求項２０】
前記ストリーム生成器は、前記観察位置に少なくとも部分的に基づいて、前記出力ストリームに含まれる前記特定されたビューをスケーリングするように構成される請求項１２の装置。
【請求項２１】
前記ストリーム生成器は、前記観察位置に少なくとも部分的に基づいて、前記出力ストリームに含まれる前記特定されたビューをクロッピングするように構成される請求項１２の装置。
【請求項２２】
前記観察装置に前記出力ストリームを送信するように構成された送信器をさらに備える請求項１２に記載の装置。
【請求項２３】
実映像を提供するための装置であって、
シーンの複数のビューを取得するための手段と、各ビューは、前記ビューのための画像データを取得するセンサの取得距離と取得角度とを特定する取得位置をもち、
観察装置からの前記シーンに対する要求を受信するための手段と、前記要求は、前記観察装置に対する観察位置を含み、
各ビューの前記取得位置と、前記観察位置との比較に基づいて、前記シーンの前記複数のビューのうちの少なくとも２つを特定するための手段と、
前記観察装置への送信のために、前記特定されたビューのための画像データを含む出力ストリームを生成するための手段と、
を具備する装置。
【請求項２４】
装置のプロセッサによって実行可能な命令を備える非一時的なコンピュータ読み取り可能な記憶媒体であって、前記命令は、前記装置に、
シーンの複数のビューを取得させ、ここにおいて、各ビューは、前記ビューのための画像データを取得するセンサの取得距離と取得角度とを特定する取得位置をもち、
観察装置からの前記シーンに対する要求を受信させ、ここにおいて、前記要求は、前記観察装置に対する観察位置を含み、
各ビューの前記取得位置と、前記観察位置との比較に基づいて、前記シーンの前記複数のビューのうちの少なくとも２つを特定させ、
前記観察装置への送信のために、前記特定されたビューのための画像データを含む出力ストリームを生成させる、
非一時的なコンピュータ読み取り可能な記憶媒体。
【請求項２５】
実映像を取得する方法であって、
観察者の観察位置を検出することと、
コンテンツ選択と、前記観察位置とを含むコンテンツ要求を送信することと、
前記要求されたコンテンツの複数のビューを受信することと、前記受信されたビューの各々は、前記ビューを取得するセンサの取得距離と取得角度を含み、
前記受信されたビューと、前記観察位置とに基づいて、出力ビューを生成することと、
を備える方法。
【請求項２６】
前記観察位置は、前記選択されたコンテンツの観察者の観察距離と、観察角度の少なくとも１つを含む請求項２５の方法。
【請求項２７】
前記観察角度は、水平観察及び垂直観察角度の少なくとも一方を含む請求項２６の方法。
【請求項２８】
前記観察位置を検出することは、
センサからのセンサデータを受信することと、
前記受信されたセンサデータに少なくとも部分的に基づいて前記観察位置を決定することと、
を備える請求項２５の方法。
【請求項２９】
前記センサは、光検出器、光源、ジャイロスコープ、およびアンテナの少なくとも１つを備える請求項２８の方法。
【請求項３０】
前記センサは、画像取得装置を備える請求項２８の方法。
【請求項３１】
前記観察位置を決定することは、
前記画像取得装置によって取得された画像におけるオブジェクトを特定することと、ここにおいて、前記オブジェクトは顔の特質、備え付け家具、装飾品および電子装置のうちの１つを含み、
前記特定されたオブジェクトの特性に基づいて、前記観察位置を決定することと、ここにおいて、前記特性は、色、位置、反射の少なくとも１つを含む、
を備える請求項３０の方法。
【請求項３２】
前記コンテンツ要求は、ビデオサーバに送信される請求項２５の方法。
【請求項３３】
前記複数のビューを受信することは、第１の取得位置をもつ第１のビューと、第２の取得位置をもつ第２のビューと、を受信することを備え、前記観察位置は、前記第１の取得位置と、前記第２の取得位置の間にある、請求項２５の方法。
【請求項３４】
前記出力ビューを生成することは、前記第１のビューと、前記第２のビューとに基づいて、補間されたビューを生成することを備える請求項３３の方法。
【請求項３５】
前記出力ビューを生成することは、前記観察位置に少なくとも部分的に基づいて、前記出力ビューをスケーリングすることを備える請求項２５の方法。
【請求項３６】
前記出力ビューを生成することは、前記観察位置に少なくとも部分的に基づいて、前記出力ビューをクロッピングすることを備える請求項２５の方法。
【請求項３７】
実映像を取得するための装置であって、
観察者の観察位置を決定するように構成された位置検出器と、
コンテンツ選択と前記観察位置とを含むコンテンツ要求を送信するように構成された送信器と、
前記要求されたコンテンツの複数のビューを受信するように構成された受信器と、前記受信されたビューの各々は、前記ビューを取得するセンサの取得距離と取得角度を含み、
前記受信されたビューと、前記観察位置とに基づいて、出力ビューを生成するように構成されたビュー生成器と、
を備える装置。
【請求項３８】
前記観察位置は、前記選択されたコンテンツの観察者の観察距離と、観察角度の少なくとも一方を含む請求項３７の装置。
【請求項３９】
前記観察角度は、水平観察及び垂直観察角度の少なくとも一方を含む請求項３８の装置。
【請求項４０】
前記位置検出器とデータ通信状態にあるセンサをさらに備え、前記位置検出器は、前記センサから受信したデータに少なくとも部分的に基づいて前記観察位置を決定するように構成される請求項３７の装置。
【請求項４１】
前記センサは、光検出器、光源、ジャイロスコープ、およびアンテナの少なくとも１つを備える請求項４０の装置。
【請求項４２】
前記センサは、画像取得装置を備える請求項４０の装置。
【請求項４３】
前記位置検出器は、
前記画像取得装置によって取得された画像におけるオブジェクトを特定し、ここにおいて、前記オブジェクトは顔の特質、備え付け家具、装飾品および電子装置のうちの１つを含み、
前記特定されたオブジェクトの特性に基づいて、前記観察位置を決定する、ここにおいて、前記特性は、色、位置、および反射の少なくとも１つを含む、
ように構成される、請求項４２の装置。
【請求項４４】
前記コンテンツ要求は、ビデオサーバに送信される請求項３７の装置。
【請求項４５】
前記受信された複数のビューは、第１の取得位置をもつ第１のビューと、第２の取得位置をもつ第２のビューとを備え、前記観察位置は、前記第１の取得位置と、前記第２の取得位置の間にある、請求項３７の装置。
【請求項４６】
前記出力ビューは、前記第１のビューと、前記第２のビューとに基づく補間されたビューである請求項４５の装置。
【請求項４７】
前記出力ビューは、前記観察位置に少なくとも部分的に基づいてスケーリングされる請求項３７の装置。
【請求項４８】
前記出力ビューは、前記観察位置少なくとも部分的に基づいてクロッピングされる請求項３７の装置。
【請求項４９】
実映像を取得するための装置であって、
観察者の観察位置を検出するための手段と、
コンテンツ選択と、前記観察位置とを含むコンテンツ要求を送信するための手段と、
前記要求されたコンテンツの複数のビューを受信するための手段と、前記受信されたビューの各々は、前記ビューを取得するセンサの取得距離と取得角度を含み、
前記受信されたビューと、前記観察位置とに基づいて、出力ビューを生成するための手段と、
を備える装置。
【請求項５０】
装置のプロセッサによって実行可能な命令を備える非一時的なコンピュータ読み取り可能な記憶媒体であって、前記命令は、前記装置に、
観察者の観察位置を検出させ、
コンテンツ選択と、前記観察位置とを含むコンテンツ要求を送信させ、
前記要求されたコンテンツの複数のビューを受信させ、前記受信されたビューの各々は、前記ビューを取得するセンサの取得距離と取得角度を含み、
前記受信されたビューと、前記観察位置とに基づいて、出力ビューを生成させる、
非一時的なコンピュータ読み取り可能な記憶媒体。
【国際調査報告】
2016507929.tif 000010
2016507929.tif 000011